(57)【要約】【課題】文字板の限られた表示領域内であっても、指示部の視認性を向上させることが可能な表示機構、ムーブメント、及び時計を提供する。【解決手段】巻印表示伝え車４５の回転に応じて互いに接近離間する複数の指示部４０と、複数の指示部４０と巻印表示伝え車４５とを各別に連結するリンク機構４２と、を備えていることを特徴とする。【選択図】図２
2016176711.tif 000002
【特許請求の範囲】
【請求項１】
文字板上の回転中心を基準に回転して、時間に関する情報を指し示す指針と、
前記指針が回転する軌跡の範囲内に設けられた表示領域とを備える表示機構であって、
前記表示領域には、
一つのみで所定の図形を構成し、又は複数の小片を組み合わせて所定の図形を構成する指示部が互いに対向して配置され、
前記表示機構は、
歯車の回転に応じて、前記対向して配置された一又は複数の指示部を互いに近接離間させることを特徴とする表示機構。
【請求項２】
請求項１記載の表示機構であって、
前記一又は複数の指示部と前記歯車とを各別に連結するリンク機構を備え、
前記リンク機構は、
一端部が前記指示部に回転可能に連結され、他端部が前記歯車以外の部分に回転可能に連結された第１腕部と、
一端部が前記指示部に連結され、他端部が前記歯車に回転可能に連結された第２腕部と、を備えていることを特徴とする表示機構。
【請求項３】
請求項１記載の表示機構であって、
前記一又は複数の指示部と前記歯車とを各別に連結するリンク機構を備え、
前記リンク機構は、
前記歯車以外の部分にスライド移動可能に支持されるとともに、前記指示部が連結されたスライダと、
一端部が前記歯車に回転可能に連結され、他端部が前記スライダに回転可能に連結された腕部と、を備えていることを特徴とする表示機構。
【請求項４】
請求項１から請求項３の何れか１項に記載の表示機構であって、
香箱真に固定された角穴車が回転することにより、一端部が香箱車に取り付けられ、他端部が前記香箱真に取り付けられたぜんまいが巻き上げられ、動力を蓄える巻き上げ機構と、
前記角穴車の回転を、遊星車を含む中間車を介して前記歯車に伝達して前記歯車を第１方向に回転させる一方、前記香箱車の回転を、前記中間車を介して前記歯車に伝達し、前記歯車を第２方向に回転させる輪列機構と、を備え、
前記指示部は、前記ぜんまいの巻き上げ及び巻き戻しに応じて接近離間することを特徴とする表示機構。
【請求項５】
請求項１から請求項３の何れか１項に記載の表示機構であって、
筒車に噛合する計時車と、
前記計時車と一体回転するカムと、
前記カムのカム面に摺接するカム従節部、及び前記歯車に噛合する伝達歯車を有し、前記カムの回転に伴って往復回動するカム従節ユニットと、を備え、
前記指示部は、前記カム従節ユニットの往復回動に応じて接近離間することを特徴とする表示機構。
【請求項６】
請求項１から請求項５の何れか１項に記載の表示機構を備えていることを特徴とするムーブメント。
【請求項７】
請求項６に記載のムーブメントを備えることを特徴とする時計。
【発明の詳細な説明】
【技術分野】
【０００１】
本発明は、表示機構、ムーブメント、及び時計に関する。
【背景技術】
【０００２】
時計には、例えば時刻や日付、ぜんまいの巻き上げ量（パワーリザーブ量）等に関する各種情報をユーザが認識するための表示機構が搭載されている。この種の表示機構は、文字板の限られた表示領域内で上述した各種情報が付された表示領域と、表示領域に付された各種情報を指し示す指針と、を備えている。そして、この指針が回転運動や回動運動によって表示領域上を移動することで、各種情報を指し示すように構成されている。
【０００３】
特許文献１には、特許文献１には、文字板の限られた表示領域内でパワーリザーブ量が段階的に付された扇形の表示領域を、指針が搖動しながらパワーリザーブ量を指し示す構成が開示されている。
【先行技術文献】
【特許文献】
【０００４】
【特許文献１】特開２００６−２３４４３２号公報
【発明の概要】
【発明が解決しようとする課題】
【０００５】
しかしながら、上述した従来の表示機構では、時計の文字板に比して小さい表示領域において、時針、分針及び秒針に比して細く短い指針によってパワーリザーブ量が表示されるため、視認性が悪い。
また、パワーリザーブ量を示す指針は、文字板と時針、分針及び秒針の間に配置されるため、時間経過によって回転する時針、分針及び秒針が、パワーリザーブ量を示す指針の上部に位置する場合には、同様に視認性が悪くなる場合がある。
【０００６】
本発明は、このような事情に考慮してなされたもので、その目的は、文字板の限られた表示領域内であっても、指示部の視認性を向上させることが可能な表示機構、ムーブメント、及び時計を提供することである。
【課題を解決するための手段】
【０００７】
本発明は、上記課題を解決するために以下の手段を提供する。
本発明に係る表示機構は、文字板上の回転中心を基準に回転して、時間に関する情報を指し示す指針と、前記指針が回転する軌跡の範囲内に設けられた表示領域とを備える表示機構であって、前記表示領域には、一つのみで所定の図形を構成し、又は複数の小片を組み合わせて所定の図形を構成する指示部が互いに対向して配置され、前記表示機構は、歯車の回転に応じて、前記対向して配置された一又は複数の指示部を互いに近接離間させることを特徴とする。
【０００８】
この構成によれば、一又は複数の指示部が、歯車の回転に応じて互いに接近離間するため、従来のように、時計の文字板に比して小さい表示領域において、時針、分針及び秒針に比して細く短い指針が回転運動や回動運動、直線運動して情報を表示する場合に比べて指示部の視認性を向上させることができる。
【０００９】
また、本発明に係る表示機構において、前記一又は複数の指示部と前記歯車とを各別に連結するリンク機構を備え、前記リンク機構は、一端部が前記指示部に回転可能に連結され、他端部が前記歯車以外の部分に回転可能に連結された第１腕部と、一端部が前記指示部に連結され、他端部が前記歯車に回転可能に連結された第２腕部と、を備えていてもよい。
この構成によれば、巻印表示伝え車及び各指示部間をリンク機構により各別に連結することで簡素化を図った上で、指示部をスムーズに移動させることができる。
【００１０】
また、本発明に係る表示機構において、前記一又は複数の指示部と前記歯車とを各別に連結するリンク機構を備え、前記リンク機構は、前記歯車以外の部分にスライド移動可能に支持されるとともに、前記指示部が連結されたスライダと、一端部が前記歯車に回転可能に連結され、他端部が前記スライダに回転可能に連結された腕部と、を備えていてもよい。
この構成によれば、巻印表示伝え車及び各指示部間をリンク機構により各別に連結することで簡素化を図った上で、指示部をスムーズに移動させることができる。
【００１１】
また、本発明に係る表示機構において、香箱真に固定された角穴車が方向に回転することにより、一端部が香箱車に取り付けられ、他端部が前記香箱真に取り付けられたぜんまいが巻き上げられ、動力を蓄える巻き上げ機構と、前記角穴車の回転を、遊星車を含む中間車を介して前記歯車に伝達して前記歯車を第１方向に回転させる一方、前記香箱車の回転を、前記中間車を介して前記歯車に伝達し、前記歯車を第２方向に回転させる輪列機構と、を備え、前記指示部は、前記ぜんまいの巻き上げ及び巻き戻しに応じて接近離間してもよい。
この構成によれば、ぜんまいの巻き上げ及び巻き戻しに応じて指示部が接近離間することで、パワーリザーブ量を簡単に認識することができる。
【００１２】
また、本発明に係る表示機構において、筒車に噛合する計時車と、前記計時車と一体回転するカムと、前記カムのカム面に摺接するカム従節部、及び前記歯車に噛合する伝達歯車を有し、前記カムの回転に伴って往復回動するカム従節ユニットと、を備え、前記指示部は、前記カム従節ユニットの往復回動に応じて接近離間してもよい。
この構成によれば、カム及びカム従節ユニットを介して計時車と歯車とを接続することで、一方向に回転する計時車の回転力を用いて各指示部を接近離間させることができる。これにより、文字板の限られた表示領域内であっても、指示部の視認性を向上させることができる。
【００１３】
本発明に係るムーブメントは、上記本発明の表示機構を備えていることを特徴とする。
本発明に係る時計は、上記本発明のムーブメントを備えていることを特徴とする。
この構成によれば、上記本発明の表示機構を備えているため、文字板の限られた表示領域内であっても、指示部の視認性を向上させたムーブメント及び時計を提供することができる。
【発明の効果】
【００１４】
本発明によれば、文字板の限られた表示領域内であっても、指示部の視認性を向上させることができる。
【図面の簡単な説明】
【００１５】
【図１】第１実施形態に係る時計（最接近位置）の外観図である。
【図２】第１実施形態に係るムーブメントを裏側から見た平面図である。
【図３】図２のＩＩＩ−ＩＩＩ線に相当する断面図である。
【図４】第１実施形態に係る時計（最離間位置）の外観図である。
【図５】表示機構の動作説明図である。
【図６】表示機構の動作説明図である。
【図７】第２実施形態に係る表示機構の平面図である。
【図８】第２実施形態に係る表示機構の平面図である。
【図９】第２実施形態に係る時計（最接近位置）の外観図である。
【図１０】第２実施形態に係る時計（最離間位置）の外観図である。
【図１１】第３実施形態に係る表示機構（最接近位置）の平面図である。
【図１２】第３実施形態に係る表示機構（最離間位置）の平面図である。
【図１３】実施形態の他の構成に係る時計の外観図である。
【図１４】実施形態の他の構成に係る時計の外観図である。
【図１５】実施形態の他の構成に係る時計の外観図である。
【図１６】実施形態の他の構成に係る時計の外観図である。
【図１７】実施形態の他の構成に係る時計の外観図である。
【図１８】実施形態の他の構成に係る時計の外観図である。
【発明を実施するための形態】
【００１６】
以下、本発明に係る実施形態について図面を参照して説明する。
（第１実施形態）
［時計］
図１は、時計１の外観図である。なお、以下に示す各図では、図面を見やすくするため、時計用部品のうち一部の図示を省略しているとともに、各時計用部品を簡略化して図示している。
図１に示すように、本実施形態の時計１は、ケース蓋（不図示）及びカバーガラス２を有する時計ケース３内に、ムーブメント１０や、時刻に関する情報を示す目盛り等を有する文字板４、各種指針（時針５、分針６及び秒針７）等が組み込まれて構成されている。
【００１７】
文字板４において、各種指針５〜７（本発明の「指針」の一例）の回転中心（時計１の中心）に対して６時側の領域には、例えば後述するぜんまいの巻き上げ量に関する情報（パワーリザーブ量）を表示する表示領域Ｒ（本発明の「指針が回転する軌跡の範囲内」の一例）が設けられている。本実施形態において、表示領域Ｒは、例えば後述する巻印表示伝え車（歯車）４５（図２参照）と平面視で重なる位置に形成された円形領域とされている。表示領域Ｒには、パワーリザーブ量に関する情報を示す環状の目盛りＲ１が表示領域Ｒの中心に対して同心円上に付されている。
【００１８】
＜ムーブメント＞
図２はムーブメント１０を裏側から見た平面図であり、図３は図２のＩＩＩ−ＩＩＩ線に相当する断面図である。なお、以下の説明では、ムーブメント１０の基板を構成する地板１１に対して時計ケース３のカバーガラス２側（文字板４側）をムーブメント１０の「裏側」と称し、ケース蓋側（文字板４側とは反対側）をムーブメント１０の「表側」と称する。
【００１９】
図２、図３に示すように、ムーブメント１０の地板１１は、第１地板１１Ａと、第１地板１１Ａの裏側に積層された第２地板１１Ｂと、を有している。地板１１の図示しない巻真案内穴には、巻真１２（図１参照）が組み込まれている。巻真１２は、その軸線周りに回転可能、かつ軸線方向に移動可能とされている。なお、巻真１２の一端部（ムーブメント１０に対して突出した部分）には、時計ケース３の側方に位置するりゅうず１３が取付けられている。
【００２０】
第１地板１１Ａのうち、表側には例えば表輪列１４や、表輪列１４の回転を制御するための図示しない脱進調速機が設けられ、裏側には例えばパワーリザーブ量を表示する表示機構１５が設けられている。
【００２１】
表輪列１４は、第１地板１１Ａと輪列受（不図示）との間で回転可能に支持された二番車、三番車及び四番車（不図示）と、第１地板１１Ａと香箱受１６（図３参照）との間で回転可能に支持された香箱車２１と、を備えている。四番車には上述した秒針７が取り付けられ、二番車には分針６が取り付けられている。また、二番車の回転に伴って回転する筒車２２（図２参照）に、上述した時針５が取り付けられている。
【００２２】
香箱車２１は、香箱真２３と、香箱真２３に取り付けられた香箱２４と、香箱２４の内部に収容された図示しないぜんまいと、を有している。
香箱真２３は、第１地板１１Ａと香箱受１６との間で軸心Ａ周りに回転可能に支持されている。香箱真２３のうち、香箱２４よりも裏側に位置する部分には、香箱真２３と一体回転する香箱真かな３１が固定されている。一方、香箱真２３のうち、香箱受１６よりも表側に位置する部分には、角穴車３２が固定されている。角穴車３２は、図示しない丸穴車やきち車、つづみ車等を介して巻真１２に接続されている。
香箱２４は、香箱真２３に回転可能に支持されている。香箱２４の香箱歯車２４ａは、図示しない二番車に噛合されている。また、香箱２４には、香箱２４と一体回転する香箱かな３３が固定されている。
【００２３】
ぜんまいは、軸心Ａ方向から見た平面視で渦巻状に巻回された平ひげであって、その一端部（内側端部）が香箱真２３に接続され、他端部（外側端部）が香箱２４に接続されている。ぜんまいは、巻真１２の回転がつづみ車やきち車、丸穴車を介して角穴車３２に伝達され、この回転力により香箱真２３が回転することで巻き上げられる。一方、ぜんまいが巻き戻される際の回転力（復元力）により、香箱２４が回転するように構成されている。なお、上述した香箱車２１及び角穴車３２により、動力を蓄える巻き上げ機構を構成している。
【００２４】
＜表示機構＞
表示機構１５は、香箱車２１の動力を伝達する伝達輪列（輪列機構）４１と、表示領域Ｒ上の目盛りＲ１を指し示す指示部４０と、伝達輪列４１と指示部４０との間に接続され、表示領域Ｒ上で指示部４０を移動させるリンク機構４２と、を有している。伝達輪列４１は、香箱車２１に接続された遊星ユニット４３と、遊星ユニット４３と香箱車２１との間に配置された遊星伝え車４４と、リンク機構４２に接続された巻印表示伝え車４５と、これら遊星ユニット４３及び巻印表示伝え車４５間を接続する巻印中間車４６と、を主に備えている。なお、伝達輪列４１を構成する各車が本実施形態の中間車を構成している。
【００２５】
遊星ユニット４３は、第１地板１１Ａと、第２地板１１Ｂの裏側に積層された基枠４７と、の間で軸心Ｂ周りに回転可能に支持されている。具体的に、遊星ユニット４３は、第１太陽車５１、第２太陽車５２、遊星中間車５３、及び遊星車５４を備えている。
第１太陽車５１は、軸心Ｂに沿って延びる第１太陽真５１ａと、第１太陽真５１ａに固定された第１太陽歯車５１ｂと、第１太陽真５１ａのうち第１太陽歯車５１ｂの裏側に形成された第１太陽かな５１ｃと、を備えている。第１太陽歯車５１ｂは、上述した香箱かな３３に噛合している。第１太陽かな５１ｃは、遊星車５４の後述する第１遊星歯車５４ａに噛合している。
【００２６】
第２太陽車５２は、軸心Ｂと同軸上に設けられ、第１太陽真５１ａに回転可能に支持されている。具体的に、第２太陽車５２は、第２太陽歯車５２ａと、第２太陽歯車５２ａの裏側に位置する第２太陽かな５２ｂと、を備えている。第２太陽歯車５２ａは、遊星車５４の後述する第２遊星歯車５４ｂに噛合している。第２太陽かな５２ｂは、巻印中間車４６の後述する巻印中間歯車４６ａに噛合している。
【００２７】
遊星中間車５３は、軸心Ｂ方向における第１太陽歯車５１ｂ及び第２太陽歯車５２ａ間に位置する遊星中間歯車５３ａと、遊星中間歯車５３ａから表側に向けて突設されたスペーサ５３ｂと、を備えている。遊星中間歯車５３ａは、軸心Ｂと同軸上に設けられるとともに、第１太陽真５１ａに回転可能に支持されている。スペーサ５３ｂは、第１太陽歯車５１ｂに裏側から近接または当接し、第１太陽歯車５１ｂと遊星中間歯車５３ａとの間の空間を確保している。
【００２８】
遊星車５４は、遊星中間歯車５３ａのうち、軸心Ｂに対して偏心した位置に回転可能に支持されている。具体的に、遊星車５４は、遊星中間歯車５３ａの表側に配設された第１遊星歯車５４ａと、遊星中間歯車５３ａの裏側に第１遊星歯車５４ａと同軸上に配設された第２遊星歯車５４ｂと、を有している。各遊星歯車５４ａ，５４ｂのうち、第１遊星歯車５４ａは第１太陽かな５２ｂに噛合し、第２遊星歯車５４ｂは第２太陽歯車５２ａに噛合している。
【００２９】
遊星伝え車４４は、第１地板１１Ａと基枠４７との間で軸心Ｃ周りに回転可能に支持されている。遊星伝え車４４のうち、遊星伝えかな４４ａは上述した香箱真かな３１に噛合し、遊星伝え歯車４４ｂは遊星中間歯車５３ａに噛合している。
【００３０】
巻印中間車４６は、第２地板１１Ｂと基枠４７と間で軸心Ｄ周りに回転可能に支持されている。巻印中間車４６のうち、巻印中間歯車４６ａは上述した第２太陽かな５２ｂに噛合し、巻印中間かな４６ｂは巻印表示伝え車４５の後述する巻印表示伝え歯車４５ａに噛合している。
【００３１】
巻印表示伝え車４５は、平面視で環状とされ、基枠４７に形成されたボス部５６に軸心Ｅ周りに回動可能に外挿されている。巻印表示伝え車４５の外周部分には、上述した巻印中間かな４６ｂに噛合する巻印表示伝え歯車４５ａが形成されている。なお、ボス部５６は、文字板４の上述した表示領域Ｒとともに軸心Ｅと同軸上に配置されている。また、巻印表示伝え車４５は、その外周部分が文字板４と基枠４７との間に配置された巻印伝え車押さえ５８により裏側から支持されている。なお、以下の説明では、軸心Ｅに直交する方向を径方向といい、軸心Ｅ周りに周回する方向を周方向という場合がある。
【００３２】
リンク機構４２は、周方向に間隔をあけて複数（図示の例では９０°間隔で４つ）配設されている。各リンク機構４２には、指示部４０が各別に連結されている。表示機構１５では、各リンク機構４２の移動（往復回動）により各指示部４０同士が互いに接近離間することで、表示領域Ｒが開閉される。なお、各リンク機構４２は、それぞれ同様の構成からなるため、以下の説明では一のリンク機構４２について詳述し、他のリンク機構４２については一のリンク機構４２と同一の符号を付し、説明を省略する。
【００３３】
リンク機構４２は、指示部４０及び基枠４７間を連結する第１腕部６２と、指示部４０及び巻印表示伝え車４５間を連結する第２腕部６３と、を備えている。
【００３４】
第１腕部６２は、周方向の一方側から他方側（図２におけるＥ１方向）に向かうに従い、径方向の内側に向けて直線状に延在している。第１腕部６２は、延在方向の一端部が軸心Ｅと平行に延びる連結ピン６５を介して第２腕部６３の一端部に回動可能に連結されている。連結ピン６５の裏側端部は、文字板４の表示領域Ｒに形成されたスリット４ａ（図１参照）を通して文字板４の裏側に突出している。なお、スリット４ａは、平面視で円弧状とされ、リンク機構４２の移動に伴う連結ピン６５の移動軌跡に沿って延在している。
第１腕部６２の他端部は、軸心Ｅと平行に延びる内側ピン６６を介して基枠４７のボス部（歯車以外の部分）５６に回動可能に連結されている。
【００３５】
第２腕部６３は、周方向の一方側から他方側に向かうに従い、径方向の外側に向けて直線状に延在するとともに、その延在方向における長さが第１腕部６２よりも長くなっている。第２腕部６３における延在方向の一端部には、上述した連結ピン６５が固定されている。一方、第２腕部６３の他端部は、軸心Ｅと平行に延びる外側ピン６７を介して巻印表示伝え車４５の内周部分に回動可能に連結されている。なお、図示の例において、各腕部６２，６３は、互いの延在方向のなす角度が鋭角になるように連結されている。
【００３６】
指示部４０は、本発明の一のみで所定の図形を構成する指示部の一例であり、例えば平面視で星形状とされた板状の部材である。すなわち、指示部４０は、１つのみで星形を構成している。具体的に、指示部４０は、中央部に位置する基部４０ａと、基部４０ａから放射状に突設されるとともに先端部に向かうに従い漸次幅が狭くなる突片部４０ｂと、を備えている。指示部４０の基部４０ａには、連結ピン６５が圧入されるピン支持孔４０ｃ（図３参照）が形成されている。
【００３７】
各指示部４０（本発明の「複数の指示部」の一例）は、巻印表示伝え車４５の回転に応じて、表示領域Ｒの中心に対して互いに接近離間可能に構成されている。各指示部４０は、最も接近した最接近位置（図１参照）で表示領域Ｒを裏側から覆い、最も離間した最離間位置（図４参照）に向かうに従い表示領域Ｒを開放する。なお、図示の例において、最接近位置では、各指示部４０のうち、一の突片部４０ｂ同士が表示領域Ｒの中心で近接または当接している。
【００３８】
［作用］
次に、本実施形態の表示機構１５の作用を説明する。以下の説明では、パワーリザーブ量が最小の状態から最大の状態になるまでの巻き上げ時と、パワーリザーブ量が最大の状態から最小の状態になるまでの巻き戻し時の作用について説明する。なお、パワーリザーブ量が最小の状態において、各指示部４０は上述した最接近位置に位置し、表示領域Ｒを覆っている。
【００３９】
巻き上げ時において、例えばりゅうず１２を回転させると、その回転力がつづみ車やきち車、丸穴車を介して角穴車３２に伝達され、香箱真２３が香箱２４に対して軸心Ａ周りのＡ１方向（図２における時計周り）に回転する。これにより、香箱２４内に収容されたぜんまいが巻き上げられ、動力が蓄えられる。
【００４０】
香箱真２３が回転すると、その回転力が香箱真かな３１を介して遊星伝え車４４に伝達され、遊星伝え車４４が軸心Ｃ周りのＣ１方向（香箱真２３とは逆方向）に回転する。その後、遊星伝え車４４が回転すると、その回転力が遊星ユニット４３の遊星中間車５３及び遊星車５４を介して第２太陽車５２に伝達され、第２太陽車５２が軸心Ｂ周りのＢ１方向（香箱真２３と同方向）に回転する。なお、巻き上げ時において、香箱車２１が停止している場合には、第１遊星歯車５４ａが自転しながら第１太陽かな５１ｂ周りを公転することで、第１太陽車５１は停止状態を維持する。一方、巻き上げ時において、香箱真２３が回転している場合には、第２遊星歯車５４ｂが第２太陽歯車５２ａ回りを公転することで、第２太陽車５２が回転する。
【００４１】
第２太陽車５２が回転すると、その回転力が巻印中間歯車４６ａを介して巻印中間車４６に伝達され、巻印中間車４６が軸心Ｄ周りのＤ１方向に回転する。その後、巻印中間車４６の回転力が巻印表示伝え歯車４５ａを介して巻印表示伝え車４５に伝達され、巻印表示伝え車４５が軸心Ｅ周りのＥ１方向（第１方向）に回動する。
【００４２】
図５、図６は表示機構１５の動作説明図である。
図２、図５に示すように、巻印表示伝え車４５が回動すると、リンク機構４２の第２腕部６３が巻印表示伝え車４５とともにＥ１方向に移動する。すると、第２腕部６３が径方向の外側（表示領域Ｒの中心から離間する方向）に向けて外側ピン６７周りに回動する。さらに、第１腕部６２が第２腕部６３に対して連結ピン６５周りに相対回転しながら、径方向の外側に向けて内側ピン６６周りに回転する。これにより、連結ピン６５が文字板４に形成されたスリット４ａに沿って径方向の外側に向けて円弧状に移動することで、指示部４０が連結ピン６５とともに円弧状に移動する。このとき、各指示部４０が表示領域Ｒの中心から互いに離間する方向に移動することで、表示領域Ｒが徐々に開放される。
【００４３】
その後、図４、図６に示すように、巻き上げを進めることで、各指示部４０同士が最も離間した最離間位置となり、表示領域Ｒが開放される。また、このとき指示部４０の突片部４０ｂ（例えば、上述した一の突片部４０ｂ）が目盛りＲ１のうち、最外周の目盛りＲ１を指し示すことで、パワーリザーブ量が最大の状態であることを認識できる。
【００４４】
次に、巻き戻し時について説明する。
図２に示すように、巻き戻し時において、ぜんまいの復元力によって香箱２４が軸心Ａ周りのＡ２方向に回転すると、その回転力が香箱かな３３を介して第１太陽車５１に伝達され、第１太陽車５１が軸心Ｂ周りのＢ２方向に回転する。すると、その回転力が遊星車５４を介して第２太陽車５２に伝達され、第２太陽車５２がＢ２方向に回転する。なお、巻き戻し時において、香箱２４が回転している場合には、遊星中間車５３が停止した状態で各遊星歯車５４ａ，５４ｂが自転のみを行うことで、第２太陽車５２が回転する。
【００４５】
第２太陽車５２が回転すると、その回転力が巻印中間歯車４６ａを介して巻印中間車４６に伝達され、巻印中間車４６が軸心Ｄ周りのＤ２方向に回転する。その後、巻印中間車４６の回転力が巻印表示伝え歯車４５ａを介して巻印表示伝え車４５に伝達され、巻印表示伝え車４５が軸心Ｅ周りのＥ２方向（第２方向）に回動する。
【００４６】
図６に示すように、巻印表示伝え車４５が回動すると、リンク機構４２の第２腕部６３が巻印表示伝え車４５とともにＥ２方向に移動する。すると、第２腕部６３が径方向の内側（表示領域Ｒの中心に接近する方向）に向けて外側ピン６７周りに回転する。さらに、第１腕部６２が第２腕部６３に対して連結ピン６５周りに相対回転しながら、径方向の内側に向けて内側ピン６６周りに回転する。これにより、連結ピン６５がスリット４ａに沿って径方向の内側に向けて円弧状に移動することで、指示部４０が連結ピン６５とともに円弧状に移動する。このとき、各指示部４０が表示領域Ｒに対して互いに接近する方向に移動することで、表示領域Ｒが徐々に閉塞される。
【００４７】
そして、各指示部４０が互いに接近する方向に移動する過程において、指示部４０の突片部４０ｂが目盛りＲ１を指し示すことで、パワーリザーブ量を認識できる。その後、図２、図５に示すように、巻き戻しが進むことで、各指示部４０同士が最も接近した最接近位置となり、表示領域Ｒが閉塞される。
【００４８】
このように、本実施形態では、複数の指示部４０が、巻印表示伝え車４５の回動に応じて互いに接近離間する構成とした。
この構成によれば、従来のように一の指示部が回転運動や回動運動、直線運動する場合に比べて指示部４０の挙動の趣向性を向上させるとともに、デザイン性を向上させることができる。
【００４９】
また、本実施形態では、巻印表示伝え車４５及び各指示部４０間をリンク機構４２により各別に連結することで簡素化を図った上で、指示部４０をスムーズに移動させることができる。
また、本実施形態では、ぜんまいの巻き上げ及び巻き戻しに応じて指示部４０が接近離間することで、パワーリザーブ量を簡単に認識することができる。
【００５０】
そして、本実施形態のムーブメント１０及び時計１では、上述した表示機構１５を備えているため、デザイン性に優れたムーブメント１０及び時計１を提供できる。
【００５１】
（第２実施形態）
次に、本発明の第２実施形態について説明する。本実施形態では、複数（例えば２つ）の指示部４０が直線状に移動する点で上述した第１実施形態と相違している。なお、以下の説明では、上述した第１実施形態と同様の構成については同一の符号を付して説明を省略する。図７、図８は第２実施形態に係る表示機構１００の平面図であり、図９、図１０は時計の外観図である。
図７に示す表示機構１００において、リンク機構１０１は、径方向にスライド移動可能に構成されたスライダ１０２と、スライダ１０２及び巻印表示伝え車４５間を連結する腕部１０３と、を有している。なお、本実施形態において、リンク機構１０１は、軸心Ｅを挟んで径方向で対向する位置に一対で設けられている。
【００５２】
スライダ１０２は、基枠４７に形成されたガイド１１０内に収容されている。ガイド１１０は、径方向に沿って延在し、スライダ１０２の径方向の移動を案内する。
腕部１０３は、その一端部が軸心Ｅと平行に延びる内側ピン１１１を介して巻印表示伝え車４５に回転可能に連結され、他端部が軸心Ｅと平行に延びる外側ピン１１２を介してスライダ１０２に回転可能に連結されている。なお、外側ピン１１２には、指示部４０が固定されている。
【００５３】
このような構成において、巻き上げ時には、図７、図８に示すように巻印表示伝え車４５がＥ１方向に回転することで、腕部１０３が巻印表示伝え車４５及びスライダ１０２に対して各ピン１１１，１１２周りに回転しながら径方向の外側に向けて移動する。これにより、スライダ１０２が径方向の外側に向けて直線状に移動することで、指示部４０がスライダ１０２とともに径方向の外側に移動し、図９に示す最接近位置から図１０に示す最離間位置となる。
一方、巻き戻し時には、図７、図８に示すように巻印表示伝え車４５がＥ２方向に回転することで、腕部１０３が巻印表示伝え車４５及びスライダ１０２に対して各ピン１１１，１１２周りに回転しながら径方向の内側に向けて移動する。これにより、スライダ１０２が径方向の内側に向けて直線状に移動することで、指示部４０がスライダ１０２とともに径方向の内側に移動し、図１０に示す最離間位置から図９に示す最接近位置となる。
【００５４】
本実施形態によれば、上述した実施形態と同様の作用効果を奏するとともに、簡素化を図った上で、指示部４０をスムーズに移動させることができる。
【００５５】
（第３実施形態）
次に、本発明の第３実施形態について説明する。本実施形態では、２４時車（計時車）２１０の回転に応じて指示部４０が接近離間する点で上述した実施形態と相違している。図１１は、第３実施形態に係る表示機構２００の平面図である。なお、図１１では、時刻が０時の状態を示している。
図１１に示すように、本実施形態の表示機構２００において、伝達輪列２０１は、２４時間車２１０と、２４時間車２１０と一体回転するハートカム（カム）２１１と、ハートカム２１１と巻印表示伝え車４５とを接続するカム従節ユニット２１２と、を備えている。
【００５６】
２４時間車２１０は、例えば筒車２２と一体的に設けられた中間車２２０に噛合し、軸心（回転中心）Ｆ周りに回転可能に構成されている。中間車２２０は、筒車２２の回転速度を１／２倍に減速しつつ、筒車２２の駆動力を２４時間車２１０に伝達している。これにより、２４時間車２１０は、筒車２２の１／２倍の回転速度、すなわち２４時間に１回転の回転速度で回転する。
【００５７】
ハートカム２１１は、平面視でハート形状を呈している。具体的に、ハートカム２１１のカム面（外周面）は、一対の凸曲面が連なって形成され、そのうち一方の境界部分が２４時間車２１０の軸心Ｆからの距離が最大となる最外部２１１ａを構成し、他方の境界部分が軸心Ｆからの距離が最小となる最内部２１１ｂを構成している。
【００５８】
カム従節ユニット２１２は、軸心Ｇ周りに回動可能に支持された軸部２３０と、軸部２３０に固定された伝達レバー２３１及び運針レバー２３２と、を備えている。
伝達レバー２３１は、軸心Ｇからハートカム２１１に向けて片持ち状に延在している。伝達レバー２３１は、その基端部が軸部２３０に固定され、先端部がハートカム２１１のカム面に摺接（接しながら動く）するカム従節部２３４を構成している。
【００５９】
運針レバー２３２は、軸部２３０に固定されたベース部２３５と、ベース部２３５から軸心Ｇに直交する径方向の一方側に向けて延びるバネ部２３６と、ベース部２３５に対してバネ部２３６とは反対側に配設された運針歯車（伝達歯車）２３７と、を備えている。
【００６０】
バネ部２３６は、平面視でＵ字状とされ、その一端部がベース部２３５に連設され、他端部が基枠４７（図３参照）等に接続されている。バネ部２３６は、軸心Ｇ周りのＧ１方向（反時計回り）に、カム従節ユニット２１２を付勢している。すなわち、バネ部２３６は、カム従節部２３４がハートカム２１１のカム面に常に摺接するようにカム従節ユニット２１２を付勢している。これにより、ハートカム２１１の回転に伴ってカム従節部２３４が軸心Ｆに対して接近離間することで、カム従節ユニット２１２が往復回動する。
運針歯車２３７は、平面視で扇形状に形成され、巻印表示伝え歯車４５ａに噛合している。
【００６１】
このような構成において、時間の経過に伴い筒車２２が回転すると、その回転力が中間車２２０を介して２４時間車２１０に伝達され、２４時間車２１０及びハートカム２１１が軸線Ｆ周りのＦ１方向に回転する。すると、カム従節ユニット２１２のカム従節部２３４は、ハートカム２１１の回転に伴いカム面上を最内部２１１ｂに向けて摺接することで、軸心Ｆに接近する。これにより、カム従節ユニット２１２が軸心Ｇ周りのＧ１方向に回動する。
【００６２】
カム従節ユニット２１２が回動すると、その回動力が運針歯車２３７を介して巻印表示伝え歯車４５ａに伝達されることで、巻印表示伝え車４５が軸心Ｅ周りのＥ１方向に回動する。そして、巻印表示伝え車４５の回動に伴って各指示部４０が表示領域Ｒに対して互いに離間する方向に移動することで、表示領域Ｒが徐々に開放される。
【００６３】
図１２に示すように、指示部４０が最接近位置から移動して１２時間が経過すると（時刻が１２時になると）、カム従節部２３４がハートカム２１１の最内部２１１ｂに到達することで、各指示部４０同士が最も離間した最離間位置となり、表示領域Ｒが開放される。
【００６４】
その後、さらに時間が経過すると、ハートカム２１１のＦ１方向の回転に伴い、カム従節ユニット２１２のカム従節部２３４がカム面上を最外部２１１ａに向けて摺接することで、軸心Ｆから離間する。これにより、カム従節ユニット２１２が軸心Ｇ周りのＧ２方向に回動する。
【００６５】
カム従節ユニット２１２が回動すると、その回動力が運針歯車２３７を介して巻印表示伝え歯車４５ａに伝達されることで、巻印表示伝え車４５が軸心Ｅ周りのＥ２方向に回動する。そして、巻印表示伝え車４５の回動に伴って各指示部４０が表示領域Ｒに対して互いに接近する方向に移動することで、表示領域Ｒが徐々に閉塞される。
【００６６】
その後、指示部４０が最離間位置から移動して１２時間が経過すると（時刻が０時になると）、カム従節部２３４がハートカム２１１の最外部２１１ａに到達することで、各指示部４０同士が最も接近した最接近位置となり、表示領域Ｒが閉塞される。
【００６７】
本実施形態によれば、ハートカム２１１及びカム従節ユニット２１２を介して２４時間車２１０と巻印表示伝え車４５とを接続することで、一方向に回転する２４時間車２１０の回転力を用いて各指示部４０を接近離間させることができる。これにより、指示部の視認性を向上させることができる。なお、本実施形態では、計時車として２４時間車２１０を採用した場合について説明したが、これに限られない。例えば、１２時間車を採用しても構わない。
【００６８】
なお、本発明の技術範囲は上述した実施形態に限定されるものではなく、本発明の趣旨を逸脱しない範囲において種々の変更を加えることが可能である。
例えば、上述した実施形態では、パワーリザーブ量や時刻に関する情報を表示するために本発明の表示機構を採用した場合について説明したが、これに限らず、種々の情報を表示するために本発明の表示機構を採用することができる。
【００６９】
また、２つ、または４つの指示部４０が互いに接近離間する構成について説明したが、これに限らず、例えば図１３、図１４に示すように３つの指示部４０が互いに接近離間する構成や、５つ以上の指示部４０が互いに接近離間する構成であっても構わない。
【００７０】
上述した実施形態では、指示部４０を星形状に形成した場合について説明したが、これに限らず、矩形状や円形状等、適宜設計変更が可能である。例えば、図１５〜図１８に示すように、指示部４０を複数の小片を組み合わせて所定の図形を構成するようにしてもよい。具体的には、小片を扇形状（図１５、図１６では半円、図１７、図１８では１／４円）に形成しても構わない。この場合、指示部４０は、図１５、図１７に示す最接近位置において、互いに組み合わさって全体として円形状をなし、表示領域Ｒを閉塞している。一方、指示部４０は、図１６、図１８に示す最離間位置に向かうに従い互いに離間し、表示領域Ｒを開放している。換言すれば、これらの例においては、一の指示部４０を構成する小片が、互いに接近離間するようになっている。
【００７１】
また、上述した実施形態では、複数の目盛りＲ１を同心円上に付す構成について説明したが、これに限られない。例えば図１５、図１６に示すように、指示部４０の移動軌跡に沿って間隔をあけて複数の目盛りＲ１を付しても構わない。また、目盛りＲ１に限らず、絵柄等を表示領域Ｒに付しても構わない。
【００７２】
また、上述した実施形態では、リンク機構としてリンク機構を用いる構成について説明したが、これに限らず、指示部４０が接近離間する構成であれば、例えばカム機構を用いる等、適宜設計変更が可能である。
また、上述した実施形態では、巻印表示伝え車４５の回動に応じて指示部４０が接近離間する構成について説明したが、その他の歯車であっても構わない。この場合、歯車の一方向の回転に伴い指示部４０が接近離間する構成であっても構わない。
さらに、上述した実施形態では、機械式時計に本発明を適用した場合について説明したが、アナログクォーツ式時計に本発明を適用しても構わない。
【００７３】
その他、本発明の趣旨を逸脱しない範囲で、上述した実施形態における構成要素を周知の構成要素に置き換えることは適宜可能であり、また、上述した各変形例を適宜組み合わせても構わない。
【符号の説明】
【００７４】
１…時計
１０…ムーブメント
１５，１００，２００…表示機構
２１…香箱車
２２…筒車
２３…香箱真
３２…角穴車
４０…指示部
４１…伝達輪列（輪列機構）
４２，１０１…リンク機構
４３…遊星ユニット（中間車）
４４…遊星伝え車（中間車）
４５…巻印表示伝え車（歯車）
４６…巻印中間車（中間車）
５４…遊星車
５６…ボス部（歯車以外の部分）
６２…第１腕部
６３…第２腕部
１０２…スライダ
１０３…腕部
２１０…２４時間車（計時車）
２１１…ハートカム（カム）
２１２…カム従節ユニット
２３４…カム従節部
２３７…運針歯車（伝達歯車）
【図１】
2016176711.tif 000003
【図２】
2016176711.tif 000004
【図３】
2016176711.tif 000005
【図４】
2016176711.tif 000006
【図５】
2016176711.tif 000007
【図６】
2016176711.tif 000008
【図７】
2016176711.tif 000009
【図８】
2016176711.tif 000010
【図９】
2016176711.tif 000011
【図１０】
2016176711.tif 000012
【図１１】
2016176711.tif 000013
【図１２】
2016176711.tif 000014
【図１３】
2016176711.tif 000015
【図１４】
2016176711.tif 000016
【図１５】
2016176711.tif 000017
【図１６】
2016176711.tif 000018
【図１７】
2016176711.tif 000019
【図１８】
2016176711.tif 000020